(57)【特許請求の範囲】
【請求項１】
所定の摩擦係合装置を滑り状態とすることにより設定される変速状態と、前記摩擦係合装置を滑りのない係合状態とすることにより設定される他の変速状態とが可能な自動変速機の油圧制御装置において、
前記所定の摩擦係合装置を滑り状態とすることにより前記所定の変速状態を設定する際に生じる、他の制御に伴う排圧を、信号圧に基づいて切換動作して前記所定の摩擦係合装置の摩擦面に供給する排圧切換機構を備えていることを特徴とする自動変速機の油圧制御装置。
【請求項２】
所定の摩擦係合装置を滑り状態とすることにより設定される変速状態と、前記摩擦係合装置を滑りのない係合状態とすることにより設定される他の変速状態とが可能な自動変速機の油圧制御装置において、
前記所定の摩擦係合装置の摩擦面に潤滑油を供給する流路断面積の異なる複数の潤滑油路と、
前記流路断面積の大きい潤滑油路を開閉する切換バルブと、
前記所定の摩擦係合装置を滑り状態とすることにより前記所定の変速状態を設定する際に生じる、他の制御に伴う排圧を、前記切換バルブの切換信号圧とする排圧切換機構と
を備えていることを特徴とする自動変速機の油圧制御装置。
【請求項３】
前記排圧切換機構が、前記排圧を流通させない動作状態のときに前記所定の摩擦係合装置をスリップ状態に制御する油圧を遮断する油路構成を更に備えていることを特徴とする請求項１または２に記載の自動変速機の油圧制御装置。
【請求項４】
前記所定の摩擦係合装置が、走行のために滑り状態に制御されてトルクを伝達し、また非走行のために滑りのない係合状態に制御されてトルクを伝達するように構成されていることを特徴とする請求項１ないし３のいずれかに記載の自動変速機の油圧制御装置。
【請求項５】
内燃機関と電動機とが動力源として連結され、前記所定の摩擦係合装置を滑り状態に制御しかつ内燃機関から動力を入力して発進する走行と、前記所定の摩擦係合装置を解放して前記電動機から動力を入力して発進する走行とが、同方向の走行となるように構成されていることを特徴とする請求項１ないし４のいずれかに記載の自動変速機の油圧制御装置。
【発明の詳細な説明】
【０００１】
【発明の属する技術分野】
この発明は、自動変速機における摩擦係合装置の係合状態を制御するための油圧制御装置に関し、特に、摩擦係合装置の摩擦面への潤滑油の供給を制御するための装置に関するものである。
【０００２】
【従来の技術】
摩擦クラッチやブレーキなどの摩擦係合装置を適宜に係合・解放させてトルクの伝達経路を変更することにより、変速をおこなうように構成した自動変速機が広く知られている。この種の自動変速機では、いずれかの摩擦係合装置を係合させ、あるいは解放させることにより変速が実行されるが、その係合もしくは解放の際に油圧などによる係合力を次第に変化させるとにより、伝達トルク容量が連続的に変化し、その結果、出力トルクが滑らかに変化し、車両においては、変速に伴うショックを回避することができる。
【０００３】
このような変速時における摩擦係合装置による作用は、摩擦係合装置に過渡的に滑りが生じて慣性力を吸収することにより生じる。その機能を積極的に利用することにより、ショックを生じることなく発進することができる。すなわち、従来では、トルクコンバータを歯車変速機構の前段に配置しているが、これを廃止して摩擦クラッチを設けた場合、発進時にその摩擦クラッチを滑り制御することにより、出力トルクが滑らかに増大するので、ショックのない発進が可能になる。
【０００４】
摩擦係合装置を上記のように滑り制御することにより、発進時などにおけるショックを回避できるが、摩擦係合装置に滑りを生じさせると、その摩擦面で発熱する。すなわち運動エネルギーを熱エネルギーとして吸収するので、その焼損のための対策を採る必要がある。その一例が特開平１１−１２５２７３号公報に記載されている。この公報に記載された装置は、無段変速機の前段に、前後進切り換えのための遊星歯車機構と発進用のクラッチとを設けた自動変速装置であって、これらの遊星歯車機構と発進クラッチとを、潤滑油を充填したハウジングの内部に収容し、エンジンを始動することに伴ってオイルポンプが駆動されて潤滑油がそのハウジングの内部に循環させられる。その結果、発進クラッチに潤滑油が連続的に供給されるので、摩擦熱がその潤滑油によって奪い取られて冷却され、発進クラッチの温度上昇や耐久性の低下が防止される。
【０００５】
【発明が解決しようとする課題】
上述した公報に記載されている装置では、発進クラッチが車両の発進時に滑り状態に制御され、その後に滑りのない完全係合状態に維持される。これに対して潤滑油は、発進時の滑り状態を考慮して、エンジンが駆動している間は、常時ほぼ同量、ハウジングの内部に循環供給される。
【０００６】
そのため、発進時における発進クラッチの冷却を充分におこなうことができるが、発進クラッチが完全に係合し、滑りを生じなくなった場合においても、それ以前と同様に潤滑油の供給をおこなうので、潤滑油を循環させるために要する動力すなわちオイルポンプを過剰に駆動するための動力が損失となってしまう。また潤滑油を過剰に撹拌してその温度を上昇させることになるので、潤滑油の劣化を進行させるなどの不都合が考えられる。
【０００７】
この発明は、上記の技術的課題に着目し、滑り状態と滑りのない係合状態とに制御される摩擦係合装置の冷却を、動力損失を生じることなく実行することのできる自動変速機の油圧制御装置を提供することを目的とするものである。
【０００８】
【課題を解決するための手段およびその作用】
上記の目的を達成するために、請求項１の発明は、所定の摩擦係合装置を滑り状態とすることにより設定される変速状態と、前記摩擦係合装置を滑りのない係合状態とすることにより設定される他の変速状態とが可能な自動変速機の油圧制御装置において、前記所定の摩擦係合装置を滑り状態とすることにより前記所定の変速状態を設定する際に生じる、他の制御に伴う排圧を、信号圧に基づいて切換動作して前記所定の摩擦係合装置の摩擦面に供給する排圧切換機構を備えていることを特徴とする油圧制御装置である。
【０００９】
したがって請求項１の発明では、前記所定の摩擦係合装置を滑り状態とする制御と同時に他の制御が実行され、かつ該他の制御に伴って排圧が生じる。その排圧すなわちドレーンオイルが、前記排圧切換機構が信号圧によって切換動作することにより、滑り状態に制御される前記所定の摩擦係合装置の摩擦面に供給される。その結果、その摩擦面に対するオイルの供給量が増大して冷却が促進される。また、滑り状態に制御されない場合には、前記排圧が前記排圧切換機構を介して摩擦面に供給されることがないので、オイルの循環量が低下して、動力の消費が低減される。
【００１０】
また、請求項２の発明は、所定の摩擦係合装置を滑り状態とすることにより設定される変速状態と、前記摩擦係合装置を滑りのない係合状態とすることにより設定される他の変速状態とが可能な自動変速機の油圧制御装置において、前記所定の摩擦係合装置の摩擦面に潤滑油を供給する流路断面積の異なる複数の潤滑油路と、前記流路断面積の大きい潤滑油路を開閉する切換バルブと、前記所定の摩擦係合装置を滑り状態とすることにより前記所定の変速状態を設定する際に生じる、他の制御に伴う排圧を、前記切換バルブの切換信号圧とする排圧切換機構とを備えていることを特徴とする油圧制御装置である。
【００１１】
したがって請求項２の発明では、前記所定の摩擦係合装置を滑り状態とする制御と同時に他の制御が実行され、かつ該他の制御に伴って排圧が生じる。前記所定の摩擦係合装置を滑り状態にする制御に伴って排圧切換機構が、その排圧すなわちドレーンオイルを、切換バルブに信号圧として供給する。その結果、切換バルブが流路断面積の大きい潤滑油路を開く。そのため、滑り状態に制御される摩擦面に対して増量された潤滑油が供給されて、その摩擦面の冷却が促進される。また、滑り制御をおこなわない場合には、流路断面積の大きい潤滑油路が閉じられるので、潤滑油の供給量が低下して動力の消費が低減される。
【００１２】
さらに、請求項３の発明は、請求項１の構成もしくは請求項２の構成において、前記排圧切換機構が、前記排圧を流通させない動作状態のときに前記所定の摩擦係合装置をスリップ状態に制御する油圧を遮断する油路構成を更に備えていることを特徴とする油圧制御装置である。
【００１３】
したがって、請求項３の発明では、排圧を流通させることができない事態が生じると、すなわち滑り状態に制御される摩擦係合装置の摩擦面に対して充分な潤滑油を供給できない事態が生じると、その摩擦係合装置を滑り状態に制御するための油圧が遮断される。すなわち前記所定の摩擦係合装置が滑り状態に制御されることが禁止される。したがって摩擦面の冷却のための潤滑に異常が生じれば、摩擦係合装置の滑り制御自体が禁止されるので、摩擦係合装置の摩擦熱による焼損などの異常を未然に防止することができる。
【００１４】
そして、請求項４の発明は、請求項１ないし３のいずれかの構成において、前記所定の摩擦係合装置が、走行のために滑り状態に制御されてトルクを伝達し、また非走行のために滑りのない係合状態に制御されてトルクを伝達するように構成されていることを特徴とする油圧制御装置である。
【００１５】
したがって請求項４の発明では、滑り制御される場合における摩擦係合装置の負荷が大きくなるが、それに併せてオイルの供給量が増大するので、摩擦面の焼損が回避され、また滑りのない係合状態に制御される場合には、摩擦係合装置の負荷が低下し、その場合は、オイルの供給量が少なくなるので、オイルを過剰に循環させたり、それに伴って動力損失が生じたりすることが有効に回避される。
【００１６】
さらに、請求項５の発明は、請求項１ないし４のいずれかの構成において、内燃機関と電動機とが動力源として連結され、前記所定の摩擦係合装置を滑り状態に制御しかつ内燃機関から動力を入力して発進する走行と、前記所定の摩擦係合装置を解放して前記電動機から動力を入力して発進する走行とが、同方向の走行となるように構成されていることを特徴とする自動変速機の油圧制御装置である。
【００１７】
したがって請求項５の発明では、前記所定の摩擦係合装置の滑りを伴って内燃機関の動力で発進する場合にその摩擦係合装置に対するオイルの供給量が増大させられ、したがって負荷される動力が大きい状態での滑りに伴う温度上昇が回避されて、焼損などの異常が未然に防止される。また、その摩擦係合装置の滑りを伴わずに電動機で走行する場合にはその摩擦係合装置に対するオイルの供給量が低下させられるので、オイルを過剰に供給することによる不必要な動力の消費を防止することができる。
【００１８】
【発明の実施の形態】
つぎにこの発明を図に示す具体例に基づいて説明する。先ず、この発明で対象とすることのできる自動変速機の一例を示すと図４のとおりである。図４に示す例は、ハイブリッド駆動装置における自動変速機として構成した例であり、第１の動力源としての内燃機関１および第２の動力源としての電動機２の動力を個別にもしくは合成して出力するように構成されている。その内燃機関１は、ガソリンエンジンやディーゼルエンジンなどの燃料を燃焼して動力を出力する動力装置である。以下の説明では、内燃機関をエンジン（Ｅｎｇ．）１と記す。
【００１９】
また電動機２は、要は、電流が供給されることにより回転して動力を出力する動力装置であって、同期型などの各種の形式のモータを使用することができ、さらには発電機能を備えた電動機を使用することができる。以下の説明では、電動機として発電機能を備えたものを例として示し、電動機をモータ・ジェネレータ（Ｍ／Ｇ）２と記す。
【００２０】
これらエンジン１およびモータ・ジェネレータ２の動力を個別にもしくは合成して出力する装置としてダブルピニオン型遊星歯車機構３を主体とした動力伝達装置が設けられている。この遊星歯車機構３は、外歯歯車であるサンギヤ４と、このサンギヤ４と同心円上に配置した内歯歯車であるリングギヤ５と、サンギヤ４に噛合する第１ピニオンギヤ６およびこの第１ピニオンギヤ６とリングギヤ５とに噛合した第２ピニオンギヤ７とを自転かつ公転自在に保持したキャリヤ８とを回転要素とし、これら３つの回転要素の間で差動作用をおこなう公知の構成のものである。
【００２１】
これらの回転要素のうちサンギヤ４にエンジン１の出力軸（例えばクランクシャフト）が連結されている。エンジン１としてレシプロエンジンを使用した場合には、燃料の間欠的な燃焼によるトルクの変動すなわち振動が生じるので、その振動を吸収もしくは緩和するために、エンジン１とサンギヤ４との間にダンパ機構（図示せず）を介在させてもよい。その場合、エンジン１とモータ・ジェネレータ２との共振を考慮してダンパ機構のねじれ特性を設定する。また、キャリヤ８にモータ・ジェネレータ２のロータ２ｒが連結されている。
【００２２】
さらに、リングギヤ５とケーシング９との間にブレーキＢ1 が設けられている。このブレーキＢ1 はリングギヤ５を選択的に固定するためのものであって、ケーシング９との間に設けた湿式多板ブレーキやバンドブレーキなどの摩擦係合式の装置を使用することができる。
【００２３】
出力部材である出力軸１０がエンジン１と同一軸線上に配置されている。この出力軸１０に対して動力を選択的に伝達するための連結手段として２つのクラッチが設けられている。すなわちキャリヤ８と出力軸１０とを選択的に連結する第１クラッチＣ1 と、リングギヤ５と出力軸１０とを選択的に連結する第２クラッチＣ2 とが設けられている。これらのクラッチＣ1 ，Ｃ2 は、油圧によって係合・解放する湿式多板式のもの以外に、噛み合い式のクラッチなど各種の形式のものを使用することができる。そして、前記出力軸１０がベルト式の無段変速機１１に連結されている。
【００２４】
この無段変速機１１は、公知の構成のものであって、溝幅を変更することのできる駆動プーリ１２と従動プーリ１３とを平行に配置し、これらのプーリ１２，１３に対するベルト（図示せず）の巻き掛け半径を、各プーリ１２，１３の溝幅を変更することにより変更して変速比を連続的に変化させるように構成されている。
【００２５】
その従動プーリ１３と平行にカウンタ軸１４が配置され、これら従動プーリ１３とカウンタ軸１４とが１対のカウンタギヤ１５，１６によって連結されている。また、このカウンタ軸１４に取り付けられた他のギヤ１７が出力ギヤ１８に噛合している。この出力ギヤ１８は、一例としてディファレンシャル装置のリングギヤである。
【００２６】
上記の遊星歯車機構３も差動作用をおこなうから、その機能を利用して各種の走行モードを選択することができる。その各種の走行モードは、前記のブレーキＢ1 およびクラッチＣ1，Ｃ2 を選択的に係合させることにより設定される。その制御をおこなうために油圧制御装置２０と、その油圧制御装置２０に制御信号を出力する電子制御装置（Ｔ−ＥＣＵ）２１と、油圧制御装置２０の油路の切り換えをおこなうシフト装置２２とが設けられている。その油圧制御装置２０は、各種の切換弁や調圧弁ならびに制御のための信号圧を出力するソレノイドバルブ（それぞれ図示せず）などを主体として構成されている。また、電子制御装置２１は入力される各種のデータに基づいて演算をおこない、その結果に基づいて油圧制御装置２０におけるソレノイドバルブに指示信号を出力し、所定の走行モードを設定するように構成されている。さらに、シフト装置２２は、シフトレバー２３によって各走行モードに対応するレンジ（ポジション）を選択するように構成されている。
【００２７】
そのレンジは、パーキング（Ｐ）、リバース（Ｒ）、ニュートラル（Ｎ）、ドライブ（Ｄ）、ブレーキ（Ｂ）の各レンジである。これらのレンジのうち、パーキングおよびニュートラルの各レンジは、車両を停止状態に維持するレンジであり、各クラッチＣ1 ，Ｃ2 が係合することはない。また、ドライブおよびブレーキの各レンジは前進走行のためのレンジであり、前記ブレーキＢ1 が連結状態（係合状態）になることはない。さらにリバースレンジは、後進走行のためのレンジであり、第１のクラッチＣ1 が連結状態（係合状態）となってキャリヤ８が出力要素とされる。そして、各レンジに応じて後述する走行モードが設定されるようになっている。
【００２８】
また、各走行モードに応じてエンジン１およびモータ・ジェネレータ２を駆動・停止する必要があるので、エンジン１およびモータ・ジェネレータ２のそれぞれのための電子制御装置（ＥーＥＣＵ、ＭＧ−ＥＣＵ）２４，２５が設けられている。上記の各電子制御装置２１，２４，２５は、演算処理装置（ＣＰＵもしくはＭＰＵ）と記憶装置（ＲＡＭ、ＲＯＭ）ならびに入出力インターフェースを主体とし、入力されたデータと予め記憶しているプログラムとに従って演算をおこない、その演算結果に応じた信号を出力するように構成されている。そして、各電子制御装置２１，２４，２５が、同じく電子制御装置であるハイブリッド制御装置２６にデータ通信可能に接続されている。このハイブリッド制御装置（ＨＶ−ＣＥＵ）２６が走行モードを判断して各電子制御装置２１，２４，２５に制御信号を出力するように構成されている。これらの電子制御装置２１，２４，２５およびハイブリッド制御装置２６で使用されるデータを例示すれば、車速、アクセル開度（図示しないアクセルペダルの踏み込み量）、シフト装置２２で選択されているレンジ信号、前記モータ・ジェネレータ２に対して充放電するバッテリ（図示せず）の充電状態（ＳＯＣ：State of Charge）、バッテリ温度、無段変速機１１で設定されている変速比などである。
【００２９】
ここで走行モードについて説明すると、各レンジに応じて図５に示す各走行モードが設定される。すなわちドライブレンジおよびブレーキレンジでは、ＥＴＣモードと、直結モードと、モータ走行モードとが設定される。そのＥＴＣモードは、相対的に大きい駆動力が要求されている際に設定されるモードであって、エンジン１の出力トルクを遊星歯車機構３およびモータ・ジェネレータ２によって増幅して出力するモードである。したがってこのモードでは、第２クラッチＣ2 のみが係合させられる。すなわち遊星歯車機構３におけるサンギヤ４にエンジン１のトルクが入力されてこれが入力要素となり、また、キャリヤ８にモータ・ジェネレータ２が連結されてこれが反力要素となり、さらにリングギヤ５が第２クラッチＣ2 を介して出力軸１０に連結されてこれが出力要素となる。この場合、エンジン１からサンギヤ４にトルクを入力すると、キャリヤ８がサンギヤ４とは反対方向に回転しようとするが、そのキャリヤ８にモータ・ジェネレータ２によってエンジン１の回転方向の反力トルクを入力すると、出力要素であるリングギヤ５には、エンジン１から入力されたトルクを、遊星歯車機構３のギヤ比（サンギヤの歯数とリングギヤの歯数との比）に応じて増幅したトルクが生じる。その結果、大きい駆動力を得ることができる。またこの場合、遊星歯車機構３の３つの回転要素は相対回転する。そして特に、キャリヤ８によって保持されているピニオンギヤ６，７の回転数が、サンギヤ４やキャリヤ８の回転数より大きくなる。
【００３０】
直結モードは、主としてエンジン１によって走行するモードであって、遊星歯車機構３の全体を直結状態として走行するモードである。したがって各クラッチＣ1 ，Ｃ2 が共に連結状態（係合状態）に制御される。その結果、遊星歯車機構３における２つの回転要素すなわちキャリヤ８とリングギヤ５とが一体化するように連結されるので、遊星歯車機構３の全体が一体化される。その結果、エンジン１の出力するトルクがそのまま出力軸１０に伝達される。したがってこの走行モードは、エンジン１の運転効率の良い比較的低負荷の定速走行の際に設定される。なおこの場合、モータ・ジェネレータ２から出力して駆動トルクを大きくしてもよく、あるいはエンジン１のトルクでモータ・ジェネレータ２を駆動して発電をおこなうこともできる。
【００３１】
モータ走行モードは、モータ・ジェネレータ２のみによって走行するモードであり、したがって第１クラッチＣ1 のみが連結状態（係合状態）となってモータ・ジェネレータ２が出力軸１０に直接連結される。モータ・ジェネレータ２の出力トルクはその回転数に拘わらず大きくすることができるので、このモータ走行モードは発進の際に設定される。
【００３２】
したがって車両が走行する場合、モータ走行モードで発進し、その後にエンジン１を駆動し、エンジン１とモータ・ジェネレータ２との回転数がほぼ一致した時点で直結モードに切り換えられる。その発進の際あるいは直結モードで走行している際に、アクセルペダルが大きく踏み込まれて要求駆動力が大きくなった場合、ＥＴＣモードが設定されてエンジン１による駆動力をモータ・ジェネレータ２の出力で補助（アシスト）することになる。また、これらいずれの走行モードにおいても、モータ・ジェネレータ２と出力軸１０とがトルク伝達可能に連結されるので、減速時には車両の有する走行慣性力によってモータ・ジェネレータ２を回転させてエネルギーの回生をおこなうことができる。
【００３３】
ニュートラルレンジとパーキングレンジとでは、ニュートラル状態と、充電モードと、極低温時のエンジン起動との各駆動状態が設定される。ニュートラル状態は、遊星歯車機構３が動力の伝達の機能を果たさない状態であり、したがって各クラッチＣ1 ，Ｃ2 およびブレーキＢ1 が解放状態とされる。
【００３４】
また、充電モードは、出力軸１０に動力を伝達しない状態でエンジン１によってモータ・ジェネレータ２を駆動する動作状態であり、ブレーキＢ1 のみが係合状態とされる。したがって遊星歯車機構３のリングギヤ５を固定した状態でサンギヤ４をエンジン１によって回転させることになるので、キャリヤ８が出力要素となってこれがサンギヤ４とは反対方向に回転する。すなわちモータ・ジェネレータ２がエンジン１によってエンジン１とは反対方向に駆動され、その結果、モータ・ジェネレータ２が発電作用をおこなう。
【００３５】
さらに、極低温時でのエンジン１の起動には、大きいトルクが必要となるので、モータ・ジェネレータ２によってエンジン１を駆動してエンジン１を起動する。これは、上記の充電モードでの動力の入出力状態が反対の状態である。すなわちブレーキＢ1 のみを係合させてリングギヤ５を固定した状態でモータ・ジェネレータ２をエンジン１の正回転方向と反対方向に駆動する。その結果、キャリヤ８が逆回転することにより、サンギヤ４およびこれに連結されているエンジン１が正回転し、エンジン１が起動される。
【００３６】
リバースレンジは、後進走行するためのレンジであって、その動力源としてモータ・ジェネレータ２およびエンジン１のいずれも使用することができる。すなわちモータ走行モードが可能であって、第１クラッチＣ1 のみを係合させてモータ・ジェネレータ２を出力軸１０に直接連結し、その状態でモータ・ジェネレータ２を逆回転させることにより、出力軸１０を後進走行方向に回転させる。その場合、モータ・ジェネレータ２の出力トルクは、回転数に拘わらず制御できるので、第１クラッチＣ1 を完全に連結状態としたまま、すなわち滑りを伴わない係合状態としたまま後進方向に発進することができる。
【００３７】
これに対してエンジン１によって後進走行する場合には、遊星歯車機構３で反転機能を生じさせるとともに、ブレーキＢ1 での伝達トルクを次第に増大させてショックのない発進をおこなう。すなわちフリクション走行モードである。具体的には、ブレーキＢ1 を係合状態としてリングギヤ５を固定し、また第１クラッチＣ1 を連結状態（係合状態）としてキャリヤ８を出力要素とする。この状態でサンギヤ４をエンジン１によって正回転させると、キャリヤ８が逆回転（後進走行方向の回転）する。しかしながら、エンジン１を始動する場合には、エンジン１に出力軸１０からの負荷を掛けることができないうえに、ニュートラル状態から後進走行する際にブレーキＢ1 を直ちに係合状態とすると出力軸１０のトルクが急激に増大し、ショックが生じる。そのため、エンジン１の動力で後進走行する場合、ブレーキＢ1 を解放してリングギヤ５に反力トルクを与えないことにより、出力軸１０のトルクを零にしておき、その状態からブレーキＢ1 を次第に係合させてリングギヤ５の反力トルクを徐々に増大させる。すなわちブレーキＢ1 を解放状態からスリップ（滑り）状態を経て次第に完全に係合させる。こうすることにより、出力軸１０のトルクが零から次第に増大するので、円滑に発進することができる。
【００３８】
上述した自動変速機では、基本的には、モータ・ジェネレータ２の動力で後進走行するが、後進走行のために大きい駆動力が要求されているとき、すなわち後進走行時にアクセルペダルが大きく踏み込まれているときには、エンジン１の駆動力で後進走行し、その際に発進を円滑におこなうために、第１クラッチＣ1 を係合させた状態でブレーキＢ1 を解放状態から滑り状態に制御し、その後に完全係合状態に制御する。そのため、モータ・ジェネレータ２による後進走行時とエンジン１による後進走行時とでは、ブレーキＢ1 の熱負荷すなわち発熱の程度が相違するので、この発明に係る油圧制御装置２０はそれに合わせてブレーキＢ1 の潤滑をおこなうように構成されている。
【００３９】
図１にその一例を示してあり、ここに示す例は、第１クラッチＣ1 の係合圧の制御に伴う排圧（ドレーンオイル）をブレーキＢ1 の潤滑（冷却）に利用するように構成した例である。図１において符号３０は、マニュアルバルブを示しており、前記シフト装置２２におけるシフトレバー２３によってスプール３１をその軸線方向に前後動させるように構成されている。すなわちこのマニュアルバルブ３０は、シフト装置２２によって選択できるシフトポジション（レンジ）に合わせてＰ（パーキング）、Ｒ（リバース）、Ｎ（ニュートラル）、Ｄ（ドライブ）、Ｂ（ブレーキ）の各ポジションにスプール３１を移動させるように構成されており、さらにそれらの各ポジションに応じて油圧（レンジ圧）を出力するように構成されている。
【００４０】
より具体的には、軸線方向でのほぼ中央部に、ライン圧（ＰＬ）が入力される入力ポート３２が形成されており、ＤポジションおよびＢポジションでは、この入力ポート３２を第１出力ポート３３に連通させ、ここからＤレンジ圧、Ｂレンジ圧を出力するようになっている。また、ＮポジションおよびＲポジションならびにＰポジションでは、入力ポート３２を第２出力ポート３４に連通させ、ここからＮレンジ圧、Ｒレンジ圧、Ｐレンジ圧を出力するようになっている。この第２出力ポート３３に常時連通された第２入力ポート３５が形成されており、Ｒポジションでこの第２入力ポート３５が第３出力ポート３６に連通させられ、したがってＲポジションを選択した場合のＲレンジ圧がこの第３出力ポート３６から出力されるようになっている。
【００４１】
このマニュアルバルブ３０における第１出力ポート３３と第３出力ポート３６とが、シャトルバルブ４０におけるそれぞれ異なる入力ポート４１，４２に接続されている。このシャトルバルブ４０は、いずれかの入力ポート４１，４２に印加された油圧によって移動体を移動させることにより、出力ポート４３を開くとともに、印加されている油圧の低い方の入力ポートを閉じるように構成されたバルブであり、したがってＤレンジ圧およびＢレンジ圧とＲレンジ圧とのいずれかを出力するように構成されている。その出力ポート４３が、第１クラッチＣ1 の係合圧を制御するＣ1 コントロールバルブ５０の入力ポート５１に接続されている。
【００４２】
このＣ1 コントロールバルブ５０は、スプール５２に作用する軸線方向力すなわち調圧レベルに応じた油圧を出力する調圧バルブであって、そのスプール５２の一端側にスプリング５３が配置され、かつそのスプリング５３とは反対側に信号圧ポート５４が形成され、デューティ制御されてデューティ比に応じた油圧を出力するソレノイドバルブ（以下、仮に第２ソレノイドバルブと記す）５５が、その信号圧ポート５４に接続されている。またスプール５２の位置に拘わらず開かれている出力ポート５６が軸線方向でのほぼ中央部に形成されており、その出力ポート５６に対してスプリング５３側に入力ポート５１が形成され、これとは反対に信号圧ポート５４側にドレーンポート５７が形成されている。そして、その出力ポート５６が第１クラッチＣ1 のサーボ油室（図示せず）に接続される一方、スプリング５３を収容している端部に形成したフィードバックポート５８に出力ポート５６が、オリフィス５９を介して連通させられている。
【００４３】
したがって入力ポート５１と出力ポート５６とが連通することにより、第１クラッチＣ1 に油圧が供給されてその係合圧が次第に高くなると、スプリング５３と共にスプール５２を押圧する力が、信号圧ポート５４に印加された第２ソレノイドバルブ５５の油圧に基づく軸線方向力より大きくなり、その結果、スプール５２によって入力ポート５１が閉じられ、かつドレーンポート５７が開かれて、出力ポート５６がドレーンポート５７に連通する。その結果、第１クラッチＣ1 の油圧およびフィードバックポート５８の油圧が低下するので、スプール５２がスプリング５３を圧縮する方向に移動し、ドレーンポート５７が閉じられるとともに、再度、入力ポート５１と出力ポート５６とが連通して第１クラッチＣ1 に油圧が供給される。すなわち信号圧ポート５４に印加される油圧（信号圧）が高いほど、出力する油圧が高くなるように構成されている。また、その調圧作用をおこなっている間に、ドレーンポート５７から油圧が排圧されるようになっている。
【００４４】
そのドレーンポート５７がカットバックバルブ６０の排圧入力ポート６１に接続されている。このカットバックバルブ６０は、前述した無段変速機１１におけるベルト（図示せず）の張力を高低二段に切り換えるための油圧を出力する切換バルブであって、スプール６２の一端部側にスプリング６３が配置されるとともに、これとは反対側に信号圧ポート６４が形成され、この信号圧ポート６４にオン・オフ制御されるソレノイドバルブ（以下、仮に第１ソレノイドバルブと記す）６５が接続されている。この第１ソレノイドバルブ６５は、一例としてノーマルクローズタイプのものであって、オン状態で信号圧を出力し、オフ状態で信号圧を出力しないように構成されている。
【００４５】
さらに、カットバックバルブ６０は、排圧入力ポート６１に常時連通した出力ポート６６と、排圧入力ポート６１に対して図での上側に隣接して設けられたＲレンジ圧入力ポート６７と、排圧入力ポート６１に対してＲレンジ圧入力ポート６７とは反対側に隣接して設けられたドレーンポート６８とを備えている。そのＲレンジ圧入力ポート６７がマニュアルバルブ３０の第３出力ポート３６に連通されている。そしてアクセル開度が小さいなど要求駆動力が小さいことにより第１ソレノイドバルブ６５がオン制御されると、スプール６２がスプリング６３を圧縮する方向に押圧され、その結果、排圧入力ポート６１および出力ポート６６がドレーンポート６８に連通され、また反対に要求駆動力が大きいことにより第１ソレノイドバルブ６５がオフ制御されると、信号圧ポート６４に油圧が印加されないので、スプール６２がスプリング６３によって押圧されて信号圧ポート６４側に移動し、出力ポート６６が排圧入力ポート６１とＲレンジ圧入力ポート６７とに連通するようになっている。
【００４６】
このカットバックバルブ６０における出力ポート６６がチェックバルブ７０を介してブレーキＢ1 用の潤滑油路７１に接続されている。より具体的には、ブレーキＢ1 用の潤滑油路７１は、滑り制御されない状態での必要最小限程度の潤滑油を流すオリフィス７２を備えており、そのオリフィス７２よりも潤滑油の供給側で下流側に、チェックバルブ７０を備えた油路７３が接続されている。したがって前記Ｃ1 コントロールバルブ５０のドレーンオイルが、カットバルブ６０およびチェックバルブ７０を介してブレーキＢ1 用の潤滑油路７１に選択的に供給されるようになっている。
【００４７】
つぎに図１に示す油圧回路の作用を後進走行の場合について説明する。後進走行する場合には、シフト装置２２によってＲレンジが選択され、それに伴ってマニュアルバルブ３０では、そのスプール３１が図１に示す位置に設定され、入力ポート３２が第２出力ポート３４に連通するとともに、その第２出力ポート３４に連通されている第２入力ポート３５が第３出力ポート３６に連通する。したがって入力されたライン圧ＰＬが、第２出力ポート３４および第２入力ポート３５ならびに第３出力ポート３６を介してＲレンジ圧として出力される。そのＲレンジ圧は、一方で、シャトルバルブ４０を介してＣ1 コントロールバルブ５０の入力ポート５１に供給され、また他方で、カットバックバルブ６０のＲレンジ圧入力ポート６７に供給される。
【００４８】
シフト装置２２によってＲレンジが選択されると、そのシフトポジション信号に基づいて電子制御装置２１が後進段を設定するための指示信号を出力する。すなわち第１クラッチＣ1 およびブレーキＢ1 を係合させるための信号を出力する。第１クラッチＣ1 については、第２ソレノイドバルブ５５のデューティ比が制御され、Ｃ1 コントロールバルブ５０の信号圧ポート５４に印加される信号圧が次第に高くなる。すなわちＣ1 コントロールバルブ５０の調圧レベルが次第に高くなって第１クラッチＣ1 の係合圧が徐々に高くなる。このようなＣ1 コントロールバルブ５０による油圧の調圧は、供給された油圧の一部をドレーンポート５７から排圧することにより可能であり、したがってＣ1 コントロールバルブ５０による調圧がおこなわれている間は、ドレーンポート５７からカットバックバルブ６０の排圧入力ポート６１にドレーンオイルが供給される。
【００４９】
後進走行する場合にアクセルペダルが特には大きく踏み込まれていなければ、要求駆動力が小さいので、第１ソレノイドバルブ６５がオフ状態に制御され、信号圧を出力する。その結果、カットバックバルブ６０の信号圧ポート６４に信号圧が印加されることにより、そのスプール６２がスプリング６３を圧縮する方向に移動し、排圧入力ポート６１がドレーンポート６８に連通させられて、ここに供給されているＣ1 コントロールバルブ５０からのドレーンオイルが排出される。また、Ｒレンジ圧入力ポート６７が閉じられ、Ｒレンジ圧が供給されない。したがってブレーキＢ1 用の潤滑油路７１には、潤滑元圧の潤滑油がオリフィス７２を介してのみ供給され、油路７３からは供給されない。なお、油路７３への流入はチェックバルブ７０によって防止される。
【００５０】
一方、要求駆動力が小さいことにより、後進走行のための走行モードはモータ走行モードになっていて、ブレーキＢ1 は解放させられている。したがってこの解放状態のブレーキＢ1 に対する潤滑油の供給量は、オリフィス７２で絞った最小限の量でよく、上記の制御では、それ以上にブレーキＢ1 に対して潤滑油を供給しないので、潤滑油を汲み上げるオイルポンプの駆動動力が少なくなって動力の損失を抑制もしくは防止することができる。また、ブレーキＢ1 が解放されていてもブレーキＢ1 によって選択的に固定されるリングギヤ５が回転するから、ブレーキＢ1 の固定側の部材と可動側の部材との間で相対回転が生じる。上記のように潤滑油の供給量を最小限に抑制することにより、その固定側部材と可動側部材との間に介在する潤滑油の量が少なくなり、それに伴って潤滑油を介したいわゆる引き摺りトルクが低減されるので、その点でも動力損失が抑制もしくは防止される。さらに潤滑油を過剰に流動させることがないので、その温度上昇などによる劣化を抑制もしくは防止することができる。
【００５１】
これに対してアクセルペダルが大きく踏み込まれるなど要求駆動力が大きい場合には、無段変速機１１のベルトの張力を大きくするための油圧を出力するように第１ソレノイドバルブ６５がオフ制御される。それに伴ってカットバックバルブ６０の信号圧ポート６４に信号圧が印加されないので、スプール６２がスプリング６３に押圧されて信号圧ポート６４側に移動する。その結果、ドレーンポート６６が排圧入力ポート６１に対して遮断され、同時にＲレンジ圧入力ポート６７が出力ポート６６に連通させられる。したがってドレーンオイルおよびＲレンジ圧が出力ポート６６から油路７３を介してブレーキＢ1 用の潤滑油路７１に供給される。
【００５２】
また、後進走行時の要求駆動力が大きい場合には、図５に示すように、フリクション走行モードが設定されてブレーキＢ1 が滑りを伴う係合状態に制御される。その滑り状態のブレーキＢ1 に対してオリフィス７２を介して絞られた量の潤滑油と、油路７３を介して流入するオイルとが供給される。すなわちブレーキＢ1 が滑り状態に制御される場合には、潤滑油の量が増大させられるので、その摩擦面で発熱しても、潤滑油がその熱を奪い去って冷却が促進され、摩擦面の温度上昇や焼き付き、あるいはブレーキＢ1 の耐久性の低下を防止することができる。また、上記の構成では、ドレーンオイルをブレーキＢ1 の潤滑に利用するので、バルブの本数を増やす必要がなく、装置のコンパクト化を図ることができる。
【００５３】
つぎにこの発明の他の具体例を図２を参照して説明する。図２に示す例は、上述した図１に示す例とは異なり、ドレーンオイルを潤滑油として使用せずに、潤滑油の供給量を増大させるための制御圧として利用するように構成した例である。具体的には、前述したチェックバルブ７０に替えて開閉バルブ８０および大オリフィス８１が設けられている。
【００５４】
その開閉バルブ８０は、入力ポート８２と出力ポート８３とをスプール８４によって連通・遮断するように構成され、そのスプール８４の一端側にスプリング８５が配置されるとともに、スプール８４の他端側に信号圧ポート８６が形成されている。そして、その信号圧ポート８６にカットバックバルブ６０の出力ポート６６が接続されている。さらに、その入力ポート８２と出力ポート８３とに、前記潤滑油路７１から分岐し、前記オリフィス７２をバイパスする油路８７が接続されている。この油路８７に大オリフィス８１が設けられている。ここで大オリフィス８１は、潤滑油路７１に設けられているオリフィス７２よりも開口断面積の大きいオリフィスである。他の構成は図１に示す構成と同様である。
【００５５】
図２に示す構成であっても、Ｒレンジが選択され、その時点の要求駆動力が小さければ、カットバックバルブ６０の排圧入力ポート６１がドレーンポート６８に連通する。したがってこの場合は、開閉バルブ８０の信号圧ポート８５に信号圧が印加されない。その結果、開閉バルブ８０のスプール８４がスプリング８５に押圧されて信号圧ポート８６側に移動し、入力ポート８２と出力ポート８３とが遮断される。すなわち大オリフィス８１を設けてある油路８７が閉じられる。そのため、ブレーキＢ1 には、オリフィス７２によって流路を絞ってある潤滑油路７１のみから少量の潤滑油が供給される。
【００５６】
この場合、要求駆動力が小さいことにより、Ｒレンジにおいてモータ走行モードが設定され、ブレーキＢ1 が解放されている。したがって潤滑油の供給量が少量であっても潤滑の点での支障はない。また、潤滑油を過剰に供給しないことにより、いわゆるポンプ損失や引き摺り損失などの動力損失を防止でき、併せて潤滑油の温度上昇などによる劣化を抑制もしくは防止することができる。
【００５７】
また一方、アクセルペダルの踏み込み量が大きいなどのことにより要求駆動力が大きい場合には、エンジン１によって走行するためにフリクション走行モードが設定される。すなわち第１クラッチＣ1 に加えてブレーキＢ1 が係合させられ、また無段変速機１１のベルトの張力を高くする制御が実行される。具体的には第１ソレノイドバルブ６５がオフ制御されて信号圧の出力を停止する。その結果、カットバックバルブ６０の信号圧ポート６４から排圧されてそのスプール６２がスプリング６３の弾性力により信号圧ポート６４側に移動し、ドレーンポート６８が閉じられて出力ポート６６に油圧が発生する。
【００５８】
こうしてこの出力ポート６６から開閉バルブ８０の信号圧ポート８５に、Ｃ1 コントロールバルブ５０の排圧およびＲレンジ圧が信号圧として印加される。そのためスプール８４がスプリング８５を圧縮する方向に移動し、入力ポート８２と出力ポート８３とが連通し、油路８７が開かれる。したがってブレーキＢ1 には、開口断面積の小さいオリフィス７２を通る潤滑油路７１に加えて大オリフィス８１を通る油路８７を介して潤滑が供給される。すなわち図１に示す具体例と同様に、ブレーキＢ1 が滑り状態に制御される場合には、潤滑油の量が増大させられるので、その摩擦面で発熱しても、潤滑油がその熱を奪い去って冷却が促進され、摩擦面の温度上昇や焼き付き、あるいはブレーキＢ1 の耐久性の低下を防止することができる。また、図２に示す上記の構成では、ドレーンオイルを信号圧として使用し、積極的には排出しないので、ライン圧の低下などの影響を回避することができる。
【００５９】
さらに、フェールセーフ機能を備えた具体例について図３を参照して説明する。この図３に示す構成は、前述した図１に示す構成のうち、カットバックバルブに新たにポートを設け、そのポートを介してブレーキＢ1 に油圧を供給するように構成したものである。すなわち図３に示すカットバックバルブ６０Ａには、前述した排圧入力ポート６１、Ｒレンジ圧入力ポート６７、出力ポート６６、ドレーンポート６８に加えて、第２入力ポート６７Ａ、第２出力ポート６６Ａならびに第２信号圧ポート６４Ａが形成されている。その第２入力ポート６７Ａは、マニュアルバルブ３０の第２出力ポート３４に接続され、Ｎレンジ圧およびＲレンジ圧ならびにＰレンジ圧が供給されるポートであって、前記ドレーンポート６６を挟んで排圧入力ポート６１とは反対側に形成されている。そして、第２出力ポート６６Ａは、この第２入力ポート６７Ａを挟んでドレーンポート６８とは反対側に形成されている。さらに、この第２出力ポート６６Ａを挟んで第２入力ポート６７Ａとは反対側に第２ドレーンポート６８Ａが形成されている。したがって第２出力ポート６６Ａが、第２入力ポート６７Ａと第２ドレーンポート６８Ａとに選択的に連通されるようになっている。また、第２信号圧ポート６４Ａは、スプリング６３を配置してある端部に形成され、前記マニュアルバルブ３０の第１出力ポート３３に接続されている。すなわちＤレンジおよびＢレンジが設定されている場合には、この第２信号圧ポート６４ＡにＤレンジ圧あるいはＢレンジ圧を供給し、スプール６２を信号圧ポート６４側に移動させて保持するようになっている。
【００６０】
このカットバックバルブ６０Ａの第２出力ポート６６Ａが、ブレーキＢ1 の係合圧を制御するＢ1 コントロールバルブ９０の入力ポート９１に接続されている。このＢ1 コントロールバルブ９０は、前述したＣ1 コントロールバルブ５０と同様の調圧バルブであって、そのスプール９２の一端側にスプリング９３が配置され、かつそのスプリング９３とは反対側に信号圧ポート９４が形成され、出力圧を直線的に変化させることのできるリニアソレノイドバルブ９５が、その信号圧ポート９４に接続されている。またスプール９２の位置に拘わらず開かれている出力ポート９６が軸線方向でのほぼ中央部に形成されており、その出力ポート９６に対してスプリング９３側に入力ポート９１が形成され、これとは反対に信号圧ポート９４側にドレーンポート９７が形成されている。そして、その出力ポート９６がブレーキＢ1 のサーボ油室（図示せず）に接続される一方、スプリング９３を収容している端部に形成したフィードバックポート９８に出力ポート９６が、オリフィス９９を介して連通させられている。
【００６１】
したがって入力ポート９１と出力ポート９６とが連通することにより、ブレーキＢ1 に油圧が供給されてその係合圧が次第に高くなると、スプリング９３と共にスプール９２を押圧する力が、信号圧ポート９４に印加されたリニアソレノイドバルブ９５の油圧に基づく軸線方向力より大きくなり、その結果、スプール９２によって入力ポート９１が閉じられ、かつドレーンポート９７が開かれて、出力ポート９６がドレーンポート９７に連通する。その結果、ブレーキＢ1 の油圧およびフィードバックポート９８の油圧が低下するので、スプール９２がスプリング９３を圧縮する方向に移動し、ドレーンポート９７が閉じられるとともに、再度、入力ポート９１と出力ポート９６とが連通してブレーキＢ1 に油圧が供給される。すなわち信号圧ポート９４に印加される油圧（信号圧）が高いほど、出力する油圧が高くなるように構成されている。また、その調圧作用をおこなっている間に、ドレーンポート９７から油圧が排圧されるようになっている。
【００６２】
なお、図３に示す構成では、カットバックバルブ６０Ａに信号圧を出力するソレノイドバルブとして、図１に示す構成とは異なり、ノーマルオープンタイプのソレノイドバルブ６５Ａが用いられている。他の構成は図１に示す構成と同様である。
【００６３】
図３に示す構成では、後進走行するためにシフト装置２２によってＲレンジが選択され、その場合の要求駆動力が小さいければ、ソレノイドバルブ６５Ａがオフ制御され、信号圧を出力しない。したがってカットバックバルブ６０Ａでは、その信号圧ポート６４に油圧が作用しないので、スプール６２がスプリング６３に押圧されて信号圧ポート６４側に移動する。それに伴いＲレンジ圧入力ポート６２が閉じられるとともに、出力ポート６６がドレーンポート６８に連通されるので、油路７３に油圧が供給されることはない。すなわちブレーキＢ1 に対する潤滑油の供給は、開口断面積の小さいオリフィス７２を介しておこなわれ、少量に制限される。また、第２入力ポート６７Ａが閉じられるので、マニュアルバルブ３０の第２出力ポート３４から出力されるＲレンジ圧が遮断され、Ｂ1 コントロールバルブ９０に対してＲレンジ圧が供給されることはない。すなわちブレーキＢ1 が解放状態に維持される。
【００６４】
これとは反対に要求駆動力が大きければ、ソレノイドバルブ６５Ａがオン制御され、カットバックバルブ６０Ａの信号圧ポート６４に信号圧を出力する。その結果、カットバックバルブ６０Ａの出力ポート６６が排圧入力ポート６１およびＲレンジ圧入力ポート６７に連通されるので、油路７３を介してブレーキＢ1 に多量の潤滑のためのオイルが供給される。
【００６５】
また同時に、第２入力ポート６７Ａが第２出力ポート６６Ａに連通し、ここからＢ1 コントロールバルブ９０の入力ポート９１にＲレンジ圧が供給される。この状態でリニアソレノイドバルブ６５Ａが所定の圧力の信号圧を出力することにより、Ｂ1 コントロールバルブ９０がその信号圧に応じた調圧レベルで調圧をおこない、ブレーキＢ1 が滑り状態に制御される。したがってブレーキＢ1 の係合圧が次第に高くなって車両がゆっくり後進方向に発進し、その滑り状態のブレーキＢ1 に対して充分な量の潤滑油が供給され、その摩擦面の冷却がおこなわれる。
【００６６】
さらに図３に示す構成では、ソレノイドバルブ６５Ａがオフ状態のままとなるフェールが生じたり、カットバックバルブ６０Ａの出力ポート６６をドレーンポート６８に対して遮断できないバルブスティック（フェール）が生じた場合、ブレーキＢ1 に対する潤滑を増量させる油路７３が接続されている出力ポート６６がドレーンポート６８に連通されたままとなり、その結果、その潤滑油をブレーキＢ1 の滑り制御に合わせて増量することができなくなる。
【００６７】
これと同時に、カットバックバルブ６０Ａの第２入力ポート６７Ａが遮断されたままとなる。そのためＢ1 コントロールバルブ９０の入力ポート９１にＲレンジ圧が供給されないので、ブレーキＢ1 に係合圧が供給されない。すなわち、ブレーキＢ1 に対する潤滑油を増量できないフェールが生じると、ブレーキＢ1 を滑り状態に係合させるための油圧が遮断されてブレーキＢ1 の係合が禁止される。言い換えれば、潤滑のフェールが生じると、ブレーキＢ1 の滑り制御が禁止されるので、潤滑の異常が原因となってブレーキＢ1 が焼損するなどの事態を未然に回避することができる。
【００６８】
ここで上述した各具体例とこの発明との関係を説明すると、上記のブレーキＢ1 がこの発明における所定の摩擦係合装置に相当し、また上記の遊星歯車機構３および無段変速機１１を含む変速機構がこの発明の自動変速機に相当し、さらに第１クラッチＣ1 の係合圧の調圧がこの発明における他の制御に相当する。また、上記の各カットバックバルブ６０，６０Ａが請求項１の発明における排圧切換機構に相当し、そのうちの図１および図２に示すカットバックバルブ６０が、請求項２の発明における排圧切換機構に相当する。また潤滑油路７１および油路８７が請求項２の発明における潤滑油路に相当し、開閉バルブ８０が請求項２の発明における切換バルブに相当する。さらに請求項３の発明については、図３に示すカットバックバルブ６０Ａが排圧切換機構に相当し、その第２入力ポート６７Ａおよび第２出力ポート６６Ａが、請求項３の発明における油路構成に相当する。そしてエンジン１が請求項５の発明における内燃機関に相当し、モータ・ジェネレータ２が電動機に相当する。
【００６９】
なお、上述した各具体例では、ハイブリッド車における自動変速機を対象とした油圧制御装置を例に採って説明したが、この発明は、上述した具体例に限定されないのであって、広く一般の自動変速機を対象とする油圧制御装置に適用することができる。また、この発明における排圧切換機構や切換バルブは、要は、各請求項に記載した機能を果たせばよいのであって、図示した構成のものに限定されない。さらに請求項３の油路構成は、要は、摩擦係合装置を滑り状態とするための油圧を遮断できればよいのであり、したがってその係合のための元圧を遮断することに替えて、滑り状態に制御するための制御圧を遮断するように構成してもよい。
【００７０】
【発明の効果】
以上説明したように請求項１の発明によれば、前記所定の摩擦係合装置を滑り状態とする制御と同時に実行される他の制御に伴う排圧がすなわちドレーンオイルが、前記排圧切換機構が信号圧によって切換動作することにより、滑り状態に制御される前記所定の摩擦係合装置の摩擦面に供給されるので、その摩擦面に対するオイルの供給量が増大して必要十分に冷却することができる。また、滑り状態に制御されない場合には、前記排圧が前記排圧切換機構を介して摩擦面に供給されることがないので、オイルの循環量が低下して、動力損失を低減し、車両にあっては燃費を向上させることができる。さらに、特別なバルブなどの機器を必要としないので、装置のコンパクト化を図ることができる。
【００７１】
また、請求項２の発明によれば、所定の摩擦係合装置を滑り状態とする制御と同時に実行される他の制御に伴う排圧が、切換バルブに信号圧として供給され、その結果、切換バルブが流路断面積の大きい潤滑油路を開くので、滑り状態に制御される摩擦面に対して増量された潤滑油が供給されて、その摩擦面の冷却を必要十分におこなうことができる。また、滑り制御をおこなわない場合には、流路断面積の大きい潤滑油路が閉じられるので、潤滑油の供給量が低下して動力損失を低減し、車両にあっては燃費を向上させることができる。また、排圧を単に信号圧とするのみであって、油圧を排出しないので、油圧の低下などの影響を回避することができる。
【００７２】
さらに、請求項３の発明によれば、排圧を流通させることができない事態が生じると、すなわち滑り状態に制御される摩擦係合装置の摩擦面に対して充分な潤滑油を供給できない事態が生じると、その摩擦係合装置を滑り状態に制御するための油圧が遮断されるので、摩擦面の冷却のための潤滑に異常が生じれば、摩擦係合装置の滑り制御自体が禁止され、したがって、摩擦係合装置の摩擦熱による焼損などの異常を未然に防止することができる。
【００７３】
そして、請求項４の発明によれば、摩擦係合装置の負荷が滑り制御される場合に大きくなるが、それに併せてオイルの供給量が増大するので、摩擦面の焼損を防止することができるとともに、滑りのない係合状態に制御される場合には、摩擦係合装置の負荷が低下し、その場合は、オイルの供給量が少なくなるので、オイルを過剰に循環させたり、それに伴って動力損失が生じたりすることを有効に回避することができる。
【００７４】
さらに、請求項５の発明によれば、所定の摩擦係合装置の滑りを伴って内燃機関の動力で発進する場合にその摩擦係合装置に対するオイルの供給量が増大させられ、したがって負荷される動力が大きい状態での滑りに伴う温度上昇が回避されて、焼損などの異常を未然に防止することができる。また、その摩擦係合装置の滑りを伴わずに電動機で走行する場合にはその摩擦係合装置に対するオイルの供給量が低下させられるので、オイルを過剰に供給することによる不必要な動力の消費を防止することができる。
【図面の簡単な説明】
【図１】  この発明の油圧制御装置が備えている油圧回路の一例を示す部分回路図である。
【図２】  この発明の油圧制御装置が備えている油圧回路の他の例を示す部分回路図である。
【図３】  この発明の油圧制御装置が備えている油圧回路の更に他の例を示す部分回路図である。
【図４】  この発明で対象とする動力伝達装置の一例を模式的に示すスケルトン図である。
【図５】  図４に示す動力伝達装置で選択可能なレンジおよび各レンジごとに設定される走行モードをまとめて示す図表である。
【符号の説明】
１…エンジン、  ２…モータ・ジェネレータ、  ３…遊星歯車機構、  ４…サンギヤ、  ５…リングギヤ、  ６，７…ピニオンギヤ、  ８…キャリヤ、  １０…出力軸、  ２０…油圧制御装置、  ２１，２４，２５…電子制御装置、  ５０…Ｃ1 コントロールバルブ、  ５７…ドレーンポート、  ６０，６０Ａ…
カットバックバルブ、  ６１…排圧入力ポート、  ６７Ａ…入力ポート、  ６６Ａ…出力ポート、  ７３，８７…油路、  ８０…開閉バルブ。
【図１】
0003797041.tif 000002
【図２】
0003797041.tif 000003
【図３】
0003797041.tif 000004
【図４】
0003797041.tif 000005
【図５】
0003797041.tif 000006